(57)【要約】【課題】腰部、大腿部、足首部の捻り運動を安全に連続的に行え、かつ簡単な歩行、開脚運動で股関節部の運動も行える運動補助装置を提供する。【解決手段】回転支持部材３を介して回転盤１をベース盤２上に回転自在に載置し、回転盤１の左右に足乗せ部材４を配置すると共に、足乗せ部材４を回転支持部材６を介して回転自在に設置する。【選択図】図１
2007244809.tif 000002
【特許請求の範囲】
【請求項１】
回転支持部材を介して回転盤をベース盤上に回転自在に載置し、該回転盤の左右に足乗せ部材を配置すると共に、該足乗せ部材を回転支持部材を介して回転自在に設置することを特徴とする運動補助装置。
【請求項２】
左右の上記足乗せ部材の回転中心が、上記回転盤の回転中心に対して非対称となっていることを特徴とする請求項１に記載の運動補助装置。
【請求項３】
上記足乗せ部材の設置位置を変更可能にしたことを特徴とする請求項１または２に記載の運動補助装置。
【請求項４】
上記足乗せ部材の上面に傾斜を付けたことを特徴とする請求項１、２または３に記載の運動補助装置。
【請求項５】
パンチングボールと組み合わせることを特徴とする請求項１、２、３または４に記載の運動補助装置。
【発明の詳細な説明】
【技術分野】
【０００１】
本発明は、特に腰部、股間接部、大腿部、足首部など腰から下の部分の筋肉を動かして鍛錬するための、運動補助装置に関するものである。
【背景技術】
【０００２】
従来のこの種の運動補助装置としては、枢着軸のまわりに回転可能に支持されて底板上に回転盤を配置して、腰の捻り運動を行うものがあった。（例えば、特許文献１参照）また、ベースと上ぶた内に２つの回転盤を設置して、腰の捻り運動を行うものがあった。（例えば、特許文献２参照）さらに、基盤上に自在継ぎ手を介して可動部材の中央を回動かつ揺動自在に支持し、該可動部材の両端部上に同様の自在継ぎ手を介して足載置部材を回動かつ揺動自在に取り付けて構成し、股関節を動かしたり、大腿部の筋力を鍛えるものがあった。（例えば、特許文献３参照）
【０００３】
しかし、上記特許文献１の技術は、回転軸の中心と体の回転中心が一致した時に、不用意に、かつ予想以上に体が捻れる欠点がある。予想以上に体が捻れると腰に悪く、また、姿勢を戻すために運動を中断せざるを得ないことにもならなかった。
また、特許文献２の技術は、逆に大腿部、足首部の捻れ運動が主で、腰部の捻れが不十分で物足りない感があった。
さらに、特許文献３の技術は、自在継ぎ手を介して上記特許文献１と特許文献２の技術を合体した構造であるので、特許文献１の持つ欠点は依然として解消していない。
又更に、これら特許文献１、２、３のいずれも上半身、上肢の運動効果は期待できない。
【特許文献１】実用新案登録第３１０６６８８号公報
【特許文献２】実用新案登録第３０８６６３８号公報
【特許文献３】特開２００２−２００１９４号公報
【発明の開示】
【発明が解決しようとする課題】
【０００４】
本発明が解決しようとする課題は、腰部、大腿部、足首部の捻り運動を安全に連続的に行え、かつ簡単な歩行、開脚運動で股関節部の運動も行える運動補助装置を提供することにある。また上半身、上肢の運動と腰部、大腿部、足首部の捻り運動が一体となって行うことでより高い運動効果を得られるようにすることができる運動補助装置を提供することにある。
【課題を解決するための手段】
【０００５】
本発明は、運動補助装置は、回転支持部材を介して回転盤をベース盤上に回転自在に載置し、該回転盤の左右に足乗せ部材を配置すると共に、該足乗せ部材を回転支持部材を介して回転自在に設置することを特徴とする。また、左右の上記足乗せ部材の回転中心が、上記回転盤の回転中心に対して非対称となっていることを特徴とする。さらに、  上記足乗せ部材の設置位置を変更可能にしたことを特徴とする。又更に、上記足乗せ部材の上面に傾斜を付けたことを特徴とする。更に又、パンチングボールと組み合わせることを特徴とするものである。
【発明の効果】
【０００６】
本発明の運動補助装置は、本発明の運動補助装置は、回転盤上の左右に設けた足乗せ部材の回転中心が、回転盤の中心に対し非対称になるようにすることで、常に回転に抵抗を与えるので、不用意に腰を捻じりすぎること無く腰部、大腿部、足首部の運動できる。
また、足乗せ部材の位置が体格に応じて移動可能なので、回転円盤の回転抵抗や歩幅や開脚運動の幅を加減することができ、より適切な股関節運動ができる。
足乗せ部材の上に乗って併設したパンチングボールをボクシングのパンチ様に叩くと、反動で腰部が振じれるので、上肢部を含む上半身と,下肢部を含む下半身の運動ができ、より高い運動効果が得られるという利点がある。
【発明を実施するための最良の形態】
【０００７】
図１は、本発明装置の１実施例を示す構成説明図であって、１は回転盤、２はベース盤、３はボールベアリング等の回転支持部材、４は足乗せ部材である。
【０００８】
上記回転盤１は、上記回転支持部材３を介して上記ベース盤２上に回転自在に載置されている。本実施例では、上記回転支持部材３は多数のボールベアリングから成り、これらのボールベアリングは、上記回転盤１およびベース盤２の各向かい合う面に形成された環状溝１ａ、３ａに納められていて、回転盤１を回転自在に支持しているが、回転支持部材３はこれに限定するものではなく、例えば、回転盤１とベース盤２を回転中心軸（図示せず）で連結して滑り摩擦による支持する構造など、回転盤１をベース盤２上で回転自在に支持（載置）する構成であればいずれでもよい。
【０００９】
上記回転盤１の左右には、上記足乗せ部材４が配置されている。図２からも明らかなように、該足乗せ部材４は、ボールベアリング等の回動支持部材６を介して取付ベース板５上に回動自在に支持されている。該取付ベース板５は、必要に応じて滑止材５ａを介して上記回転盤１上に設置されている。７は支軸であって、雌ねじスリーブ７ａと該雌ねじに螺合するボルト７ｂから構成されている。上記雌ねじスリーブ７ａは上記取付ベース板５の中央部に取付固定されていて、その下端部は、上記回転盤１の所定位置に穿設された位置決め穴１ａに嵌合するようになっている。上記ボルト７ｂは上記足乗せ部材４の中央部に挿設されていて、上記雌ねじスリーブ７ａにねじ込み量を調節するように螺合している。８は例えばゴム材などの弾性摩擦体であって、上記ボルト７ｂのねじ込み量に応じて摩擦トルクを調節するようになっている。この構造は回転盤１、ベース盤２の間にも適用できる。
【００１０】
図１（Ａ）から明らかなように、回転盤１の中心Ｃと各支軸７、７を結ぶ直線Ｌ１、Ｌ２は一直線上にはなく、中心Ｃで折れ曲がった状態にある。すなわち、左右の支軸７、７は中心Ｃに対して対称位置にはない。
【００１１】
上記実施例では、ボールベアリングにより足乗せ部材４を取付ベース板５上に回動自在に支持すると共に弾性摩擦体８により所望の摩擦トルクを設定するように構成したが、本発明の足乗せ部材４の回動支持手段は、これに限定するものではなく、例えば、足乗せ部材４と取付ベース板５を摩擦接触させると共に、支軸により回動自在に支持する構造など、いずれの構成でも良い。
【００１２】
本実施例の運動補助装置は、以上のように構成されているので、左右の足乗せ部材４上にそれぞれ足を乗せて、図３のように歩くように前後に動かすと、回転盤１が往復回転し、その結果、腰も捩られる。
また足乗せ部材４の回転を意識的にコントロールして回転盤１を中心Ｃの回りに回転するとより大きな腰の捩りになる。
【００１３】
この時、回転盤１の中心Ｃの回りの回転抵抗が生じる。なぜなら、上述のように、左右の足乗せ部材４の支軸７、７が中心Ｃに対して対称位置にはないので、左右の回転モーメントは同じではなく、その結果、ブレーキが掛かる状態になる。
【００１４】
図４は、本発明の別の実施例を示すもので、上記回転盤１の上記位置決め穴１ａとは別の位置に、第２位置決め穴１ａ′や第３位置決め穴１ａ″を形成して、足乗せ部材４の取付位置を変化させるように構成する。その結果、回転盤１の回転抵抗を必要に応じて更に変化させることができる。また足を前後に動かす時の歩幅や両足の間隔も変化させることができる。
【００１５】
図５は、本発明の更に別の実施例を示すもので、上記足乗せ部材４の上面４ａを傾斜、具体的には、図示のように前方を高く後方を低くして、いわゆる褄先上がり状態で立つようにして、足首や脚後部の筋肉を緊張させながら、腰捻り運動を行うこともできる。
【００１６】
図６は、本発明の応用例を示すもので、上記ベース盤３を基台９上に設置し、該基台９から取っ手１０を立設すると共に、該取っ手１０の上部にパンチングボール１１を取り付けている。これにより、回転盤１上に乗って腰を捻りながら、パンチングボール１１を叩くことができる。
【図面の簡単な説明】
【００１７】
【図１】本発明の一実施例を示す構成説明図である。
【図２】要部の構成を説明する断面図である。
【図３】図１の実施例の作用説明図である。
【図４】本発明の別の実施例を示す部分拡大説明図である。
【図５】本発明のさらに別の実施例を示す説明図である。
【図６】本発明の応用例を示す説明図である。
【符号の説明】
【００１８】
１    回転盤
１ａ、１ａ′、１ａ゛位置決め穴
２    ベース盤
３    回転支持部材
４    足乗せ部材
４ａ  上面
５    取付ベース板
６    回動支持部材
７    支軸
７ａ  雌ねじスリーブ
７ｂ  ボルト
８    弾性摩擦体
９    基台
１０  取っ手
１１  パンチングボール
Ｃ    中心
Ｌ１、Ｌ２  直線
【図１】
2007244809.tif 000003
【図２】
2007244809.tif 000004
【図３】
2007244809.tif 000005
【図４】
2007244809.tif 000006
【図５】
2007244809.tif 000007
【図６】
2007244809.tif 000008